(57)【要約】【課題】画面表示ＯＳＤ（オン  スクリーン  ディスプレイ）によって、映像信号に重畳してくる情報（時計、放送局ロゴ）表示がマスクされるように、画面表示ＯＳＤを調整することが可能な、新規かつ改良された映像表示装置、及び映像表示方法を提供すること。【解決手段】  付加的な表示情報が重畳された映像信号を受信する映像受信部と、上記付加的な表示情報が重畳された映像信号を画面に表示する映像表示部と、上記画面に表示された付加的な表示情報が覆い隠されるように、上記付加的な表示情報の表示位置に所定の表示情報を表示する情報表示部と、を備えることを特徴とする映像表示装置。【選択図】図４
2010074772.tif 000002
【特許請求の範囲】
【請求項１】
付加的な表示情報が重畳された映像信号を受信する映像受信部と、
前記付加的な表示情報が重畳された映像信号を画面に表示する映像表示部と、
前記画面に表示された付加的な表示情報が覆い隠されるように前記付加的な表示情報の表示位置に所定の表示情報を表示する情報表示部と、
を備える、映像表示装置。
【請求項２】
前記付加的な表示情報の表示位置を示す表示位置情報をチャンネル毎に記録する表示位置記録部をさらに備え、
前記情報表示部は、前記表示位置記録部により前記表示位置情報が記録されている場合に、当該表示位置情報に基づいて前記所定の表示情報を表示する、請求項１に記載の映像表示装置。
【請求項３】
前記情報表示部は、前記画面に表示された付加的な表示情報が覆い隠されるように前記所定の表示情報の表示サイズを調整し、
前記表示位置記録部は、前記表示位置情報と共に前記所定の表示情報の表示サイズを示す表示サイズ情報を記録し、
前記情報表示部は、前記表示位置記録部により前記表示位置情報及び前記表示サイズ情報が記録されている場合に、当該表示位置情報及び表示サイズ情報に基づいて前記所定の表示情報を表示する、請求項２に記載の映像表示装置。
【請求項４】
前記画面に表示された付加的な表示情報の表示位置を検出する表示位置検出部をさらに備え、
前記情報表示部は、前記画面に表示された付加的な表示情報が覆い隠されるように、前記表示位置検出部により検出された表示位置に所定の表示情報を表示する、請求項２又は３に記載の映像表示装置。
【請求項５】
前記情報表示部は、前記付加的な表示情報と同じ内容を含む所定の表示情報を前記表示位置検出部により検出された表示位置に表示する、請求項４に記載の映像表示装置。
【請求項６】
前記映像受信部は、前記映像信号に対応する番組のチャンネル情報、番組のタイトル情報、及び時刻情報のうち少なくとも１つの情報が前記付加的な表示情報として重畳された映像信号を受信する、請求項１に記載の映像表示装置。
【請求項７】
付加的な表示情報が重畳された映像信号が受信される映像受信ステップと、
前記付加的な表示情報が重畳された映像信号が画面に表示される映像表示ステップと、
前記画面に表示された付加的な表示情報が覆い隠されるように、前記付加的な表示情報の表示位置に所定の表示情報が表示される情報表示ステップと、
を含む、映像表示方法。
【発明の詳細な説明】
【技術分野】
【０００１】
本発明は、映像表示装置、及び映像表示方法に関する。
【背景技術】
【０００２】
近年、テレビジョン受像機などの映像表示装置は多機能化している。そのため、ユーザは、映像表示装置に搭載された様々な機能を用いて多様な情報を得ることができる。一方で、搭載している機能が多くなると操作が複雑になりユーザの利便性が低下してしまう。そのため、多機能化の面において新たな技術開発が求められる一方で、ユーザに対する利便性を高めるための工夫が求められている。映像表示装置に搭載される機能としては、放送局のチャンネルロゴ、時間情報、チャンネル番号等の表示情報を画面に表示する機能が例として挙げられる。このような機能に関し、例えば、下記特許文献１には、表示している放送番組に関連する情報を画面上に表示する技術が開示されている。
【０００３】
一方で、放送局は、自局のチャンネルロゴ、時間情報、チャンネル番号等の付加的な表示情報を映像信号に重畳して配信してくることがある。このような配信技術に関し、例えば、下記特許文献２には、付加的な表示情報を映像信号に重畳して配信する技術が開示されている。なお、放送局により映像信号に重畳して配信される付加的な表示情報は、映像表示装置が独自に表示するチャンネルロゴ等とは独立に提供される情報である。
【０００４】
【特許文献１】特開平１０−４２２１４号公報
【特許文献２】特開平０８−３２２０００号公報
【発明の開示】
【発明が解決しようとする課題】
【０００５】
このように、放送局が上記のような付加的な表示情報を映像信号に重畳させて送信してくる場合、映像表示装置側でチャンネルロゴ等の表示情報を独自に表示すると、同じ内容の情報が重複して表示されることになる。画面上に重複して表示される情報は内容が同じであるため、余分な情報が画面上に表示される分だけ画面表示が煩雑になる。その結果、ユーザに不快感を与えてしまう。
【０００６】
そこで、本発明は、上記問題に鑑みてなされたものであり、本発明の目的とするところは、映像表示装置側で表示する表示情報によって、映像信号に重畳して配信されてくる情報の表示内容がマスクされ、重複した内容の情報が画面上に表示されないようにすることが可能な、新規かつ改良された映像表示装置、及び映像表示方法を提供することにある。
【課題を解決するための手段】
【０００７】
上記課題を解決するために、本発明のある観点によれば、付加的な表示情報が重畳された映像信号を受信する映像受信部と、上記付加的な表示情報が重畳された映像信号を画面に表示する映像表示部と、上記画面に表示された付加的な表示情報が覆い隠されるように、前記付加的な表示情報の表示位置に所定の表示情報を表示する情報表示部と、を備える映像表示装置が提供される。
【０００８】
また、上記映像表示装置は、上記付加的な表示情報の表示位置を示す表示位置情報をチャンネル毎に記録する表示位置記録部をさらに備えていてもよい。この場合、上記情報表示部は、上記表示位置記録部により上記表示位置情報が記録されている場合に、当該表示位置情報に基づいて上記所定の表示情報を表示する。
【０００９】
また、上記映像表示装置は、上記情報表示部は、上記画面に表示された付加的な表示情報が覆い隠されるように上記所定の表示情報の表示サイズを調整するように構成されていてもよい。この場合、上記表示位置記録部は、上記表示位置情報と共に上記所定の表示情報の表示サイズを示す表示サイズ情報を記録する。さらに、上記情報表示部は、上記表示位置記録部により上記表示位置情報及び上記表示サイズ情報が記録されている場合に、当該表示位置情報及び表示サイズ情報に基づいて上記所定の表示情報を表示する。
【００１０】
また、上記映像表示装置は、上記画面に表示された付加的な表示情報の表示位置を検出する表示位置検出部をさらに備えていてもよい。この場合、上記情報表示部は、上記画面に表示された付加的な表示情報が覆い隠されるように、上記表示位置検出部により検出された表示位置に所定の表示情報を表示する。
【００１１】
また、上記映像表示装置は、上記情報表示部を用いて、上記付加的な表示情報と同じ内容を含む所定の表示情報を上記表示位置検出部により検出された表示位置に表示するように構成されていてもよい。
【００１２】
また、上記映像表示装置は、上記映像受信部を用いて、上記映像信号に対応する番組のチャンネル情報、番組のタイトル情報、及び時刻情報のうち少なくとも１つの情報が前記付加的な表示情報として重畳された映像信号を受信するように構成されていてもよい。
【００１３】
また、上記課題を解決するために、本発明の別の観点によれば、付加的な表示情報が重畳された映像信号が受信される映像受信ステップと、上記付加的な表示情報が重畳された映像信号が画面に表示される映像表示ステップと、上記画面に表示された付加的な表示情報が覆い隠されるように、上記付加的な表示情報の表示位置に所定の表示情報が表示される情報表示ステップと、を含む、映像表示方法が提供される。
【００１４】
また、上記課題を解決するために、本発明の別の観点によれば、上記の映像表示装置が有する機能をコンピュータに実現させるためのプログラムが提供されうる。さらに、当該プログラムが記録されたコンピュータにより読み取り可能な記録媒体が提供されうる。
【発明の効果】
【００１５】
以上説明したように本発明によれば、映像表示装置側で表示する表示情報によって、映像信号に重畳して配信されてくる情報の表示内容がマスクされ、重複した内容の情報が画面上に表示されないようにすることが可能になる。その結果、画面表示の煩雑さが解消され、重複表示により生じるユーザの不快感を取り除くことができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
［説明の流れについて］
まず、図１を参照しながら、本発明の実施形態に係る技術を適用可能な電子機器システムのシステム構成例について説明する。次いで、図２を参照しながら、上記の電子機器システムに含まれるリモートコントローラのキー構成例について説明する。次いで、図３を参照しながら、同実施形態に係るデジタルテレビ受像機の機能を実現することが可能なハードウェア構成例について説明する。
【００１８】
次いで、図４〜図９を参照しながら、本発明の一実施形態に係る映像表示装置の機能構成、及び映像表示方法について説明する。次いで、図１０〜図１８を参照しながら、同実施形態に係る他の映像表示方法について説明する。さらに、図１９及び図２０を参照しながら、同実施形態に係る他の映像表示方法について説明する。最後に、同実施形態の技術的思想について纏め、当該技術的思想から得られる作用効果について簡単に説明する。
【００１９】
［電子機器システムの構成］
まず、図１を参照しながら、本発明の一実施形態に係る電子機器システム１１０のシステム構成について説明する。図１は、同実施形態に係る電子機器システム１１０のシステム構成例を示す説明図である。
【００２０】
図１に示すように、電子機器システム１１０は、主に、パラボラアンテナ１００と、地上デジタルアンテナ１０２と、地上アナログアンテナ１０４と、デジタルテレビジョン受像機１０６とを有する。
【００２１】
また、図１に例示したデジタルテレビジョン受像機１０６には、アナログ放送受信機能、及びデジタル放送受信機能が搭載されている。さらに、デジタルテレビジョン受像機１０６には、地上波デジタル放送の自動チャンネル設定機能、及びメッセージ表示機能が搭載されている。そして、デジタルテレビジョン受像機１０６には、操作手段としてリモートコントローラ１０８が設けられている。さらに、デジタルテレビ受像機１０６には、リモートコントローラ１０８から射出された赤外線信号ＩＲを受信するための赤外線受信部１１６が設けられている。なお、デジタルテレビジョン受像機１０６、及びリモートコントローラ１０８を纏めてデジタルテレビジョン受信装置１１２と呼ぶ場合がある。
【００２２】
また、電子機器システム１１０は、地上波放送システム、及びデジタル衛星放送システムを構成している。例えば、パラボラアンテナ１００で受信された受信信号ＲＳはデジタルテレビジョン受像機１０６に入力される。同様に、地上デジタルアンテナ１０２で受信された受信信号ＲＳ及び地上アナログアンテナ１０４で受信された受信信号ＲＳは、デジタルテレビジョン受像機１０６に入力される。このように、デジタルテレビジョン受像機１０６には、地上アナログ放送、地上デジタル放送、衛星放送など、各種の放送信号が入力される。また、デジタルテレビジョン受像機１０６には、再生機器や録画再生機器等を接続するための入力端子が設けられていてもよい。
【００２３】
一方、リモートコントローラ１０８には、赤外線（ＩＲ：Ｉｎｆｒａｒｅｄ）信号を射出するためのＩＲ発信部１１４（リモートコントローラ信号発信部１０００）が設けられている。例えば、リモートコントローラ１０８は、ユーザ操作に応じて赤外線信号を射出し、デジタルテレビジョン受像機１０６に対して各種の指令を与える。つまり、リモートコントローラ１０８は、ユーザの操作入力手段であり、かつ、デジタルテレビジョン受像機１０６の制御手段である。なお、ユーザ操作の多くは、リモートコントローラ１０８に設けられた操作キーを用いて行われる。
【００２４】
ここで、図２を参照しながら、リモートコントローラ１０８のキー構成について説明する。図２は、リモートコントローラ１０８のキー構成例を示す説明図である。但し、図２には、同実施形態に係る入力操作に用いられる主要なキーのみが描画されている。
【００２５】
図２に示すように、リモートコントローラ１０８には、画面表示キー１００２、消音キー１００４、連動データキー１００６、予約一覧キー１００８、メニューキー１０１０が設けられている。また、リモートコントローラ１０８には、地上波キー１０１２、ＢＳキー１０１４、メディアキー１０１６、映像キー１０１８、音量アップキー１０２０、音量ダウンキー１０２２、ビデオキー１０２４、コンポーネントキー１０２６が設けられている。
【００２６】
さらに、リモートコントローラ１０８には、音声切換キー１０２８、電源キー１０３０、カラーキー１０３２、戻るキー１０３４、オプションキー１０３６、番組表キー１０３８、ＣＳキー１０４０、１０キーキー１０４２、ＢＳテンキー１０４４が設けられている。そして、リモートコントローラ１０８には、字幕キー１０４６、番組説明キー１０４８、地上波テンキー１０５０、チャンネル＋キー１０５２、チャンネル−キー１０５４、メモキー１０５６、ＡＶマルチキー１０５８、上下左右キー１０６０、決定キー１０６２が設けられている。
【００２７】
［リモートコントローラのキーの構成］
画面表示キー１００２は、デジタルテレビジョン受像機１０６に設けられた複数の入力端子から入力される映像信号の入力系統を切り替えるためのものである。消音キー１００４は、デジタルテレビジョン受像機１０６に設けられたスピーカからの音声出力のミュートのオン又はオフを切り替える場合に操作されるためのものである。電源キー１０３０は、デジタルテレビジョン受像機１０６の電源をオン又はオフさせる場合に操作されるためのものである。音声切替キー１０２８は、デジタルテレビジョン受像機１０６に設けられたスピーカからの音声出力の
音声の種類（例えば、主音声、副音声など）を切り替える場合に操作されるためのものである。
【００２８】
カラーキー１０３２は、デジタルテレビジョン受像機１０６で表示される画面の案内に従って各種の選択を行うときに操作されるためのものである。
【００２９】
メニューキー１０１０は、デジタルテレビジョン受像記１０６で表示されるショートカットメニューの表示などの各種メニューを使用する場合に操作されるためのものである。連動データキー１００６は、映像信号に対して重畳されるＯＳＤ（Ｏｎ  Ｓｃｒｅｅｎ  Ｄｉｓｐｌａｙ）などのグラフィック表示のオン又はオフを切り替える場合に操作されるためのものである。予約一覧キー１００８は、デジタルテレビジョン受像機１０６に設けられたデジタルチューナによって録画されたＢＳデジタル放送、ＣＳデジタル放送、地上デジタル放送の一覧の表示画面に切り替える場合に操作されるためのものである。戻るキー１０３４は、デジタルテレビジョン受像機１０６の画面１１８上で現在表示されている番組のチャンネルの１つ前に表示していた番組のチャンネルに切り替えるためのものである。オプションキー１０３６は、映像信号の輝度やコントラストなどの各種オプションメニューを表示させる場合に操作されるためのものである。番組表キー１０３８は、ＥＰＧ情報にもとづく番組表の表示のオン又はオフを切り替える場合に操作されるためのものである。
【００３０】
円形の上下左右キー１０６０は、デジタルテレビジョン受像機１０６の画面１１８上のカーソルを上下左右に移動させるためのものである。また、上記上下左右キーは、後述する画面表示ＯＳＤを画面１１８上で上下左右に移動させる場合に操作されるためのものでもある。決定キー１０６２は、デジタルテレビジョン受像機１０６の画面１１８上の選択項目を確定する場合に操作されるためのものである。
【００３１】
地上波キー１０１２は、デジタルテレビジョン受像機１０６で地上アナログ放送又は地上デジタル放送を表示させる場合に操作されるためのものである。ＢＳキー１０１４は、デジタルテレビジョン受像機１０６でＢＳデジタル放送に画面を切り替える場合に操作されるためのものである。ＣＳキー１０４０は、デジタルテレビジョン受像機１０６でＣＳデジタル放送に画面を切り替える場合に操作されるためのものである。１０キーキー１０４２は、デジタルテレビジョン受像機１０６で表示させる放送のチャンネルのチャンネル番号の１０の位を入力させるためのものである。ＢＳテンキー１０４４は、デジタルテレビジョン受像機１０６で表示させるＢＳデジタル放送又はＣＳデジタル放送を視聴中に、チャンネルを選択する場合に操作されるためのものである。
【００３２】
メディアキー１０１６は、デジタルテレビジョン受像機１０６で地上アナログ放送、地上デジタル放送、ＢＳデジタル放送、及びＣＳデジタル放送を順番に切り替える場合に操作されるためのものである。映像キー１０１８は、デジタルテレビジョン受像機１０６で２つ以上の映像が同時に配信されてくる番組の視聴中に映像を切り替える場合に操作されるためのものである。字幕キー１０４６は、デジタルテレビジョン受像機１０６の画面１１８上で表示される字幕の表示のオン又はオフを切り替える場合に操作されるためのものである。番組説明キー１０４８は、デジタルテレビジョン受像機１０６の画面１１８上で表示される番組説明の表示のオン又はオフを切り替える場合に操作されるためのものである。
【００３３】
地上波テンキー１０５０は、デジタルテレビジョン受像機１０６でユーザが地上アナログ放送又は地上デジタル放送を視聴している最中にチャンネルを切り替える場合に操作されるためのものである。
【００３４】
音量アップキー１０２０は、デジタルテレビジョン受像機１０６に設けられたスピーカからの音声出力の音量を上げる場合に操作されるためのものである。音量ダウンキー１０２２は、デジタルテレビジョン受像機１０６に設けられたスピーカからの音声出力の音量を下げる場合に操作されるためのものである。チャンネル＋キー１０５２は、デジタルテレビジョン受像機１０６でユーザが視聴する番組のチャンネルを昇順に切り替える場合に操作されるためのものである。チャンネル＋キー１０５４は、デジタルテレビジョン受像機１０６でユーザが視聴する番組のチャンネルを降順に切り替える場合に操作されるためのものである。
【００３５】
ビデオキー１０２４、コンポーネントキー１０２６、ＡＶマルチキー１７９は、デジタルテレビジョン受像機１０６に設けられた各種の外部端子に接続されている映像機器から入力される映像を表示させる場合に操作されるためのものである。メモキー１０５６は、デジタルテレビジョン受像機１０６で表示中の映像信号のフレームを静止させて、静止画面として表示させる場合に操作されるためのものである。
【００３６】
上記のように、リモートコントローラ１０８には、種々の操作を行うための操作キーが設けられている。これらの操作キーがユーザにより押下されると、その操作キーに対応する赤外線信号ＩＲがＩＲ発信部１０８Ａから射出される。そして、リモートコントローラ１０８から射出された赤外線信号ＩＲは、デジタルテレビジョン受像機１０６に設けられた赤外線受信部１１４より受信される。デジタルテレビジョン受像機１０６は、リモートコントローラ１０８から受信した赤外線信号ＩＲに応じて、例えば、画面１１８に表示される映像信号を切り替える。このように、ユーザによりリモートコントローラ１０８が操作されると、赤外線信号ＩＲを介してデジタルテレビジョン受像機１０６が制御される。
【００３７】
［ハードウェア構成（映像表示装置）］
上記のテレビジョン放送受信装置１１２が有する機能は、例えば、図３に示すハードウェア構成を有するテレビジョン放送受信装置１１２により実現することが可能である。図３は、上記のテレビジョン放送受信装置１１２のハードウェア構成を示す説明図である。
【００３８】
図３に示すように、テレビジョン放送受信装置１１２は、主に、ホストマイコン１５２と、バス１５４と、不揮発性メモリ１５６と、ＵＩ（Ｕｓｅｒ  Ｉｎｔｅｒｆａｃｅ）制御部１５８とを有する。さらに、テレビジョン放送受信装置１１２は、デジタル系アンテナ１６０と、デジタルチューナ１６２と、デマルチプレクサ１６４と、ＡＶデコーダ１６６と、ＧＵＩ重畳１６８と、ディスプレイ１７０と、スピーカ１７２とを有する。
【００３９】
さらに、テレビジョン放送受信装置１１２は、アナログ系アンテナ１７４と、アナログチューナ１７６と、復調器１７８と、ＶＢＩスライサ１８０と、ＥＰＧデコーダ１８２とを有する。さらに、テレビジョン放送受信装置１１２は、ネットワーク端子１８４と、ネットワークコントローラ１８６と、ＲＡＭ（Ｒａｎｄｏｍ  Ａｃｃｅｓｓ  Ｍｅｍｏｒｙ）１８８とを有する。
【００４０】
テレビジョン放送受信装置１１２は、デジタル系及びアナログ系のテレビジョン放送の受信再生機能、及びＥＰＧ情報の取得機能を有している。また、Ｈｏｓｔマイコン１５２は、内蔵メモリ（非図示）、またはバス１５４を介して接続された不揮発性メモリ１５６に記録されているプログラムにしたがって各種処理を実行する。また、テレビジョン放送受信装置１１２は、ＵＩ（Ｕｓｅｒ  Ｉｎｔｅｒｆａｃｅ）制御部１５８を介してリモートコントローラ（以下、リモコンとも呼ぶ）ＲＭより入力される操作信号をコマンドとして受け取る。そして、このコマンドに応じて各部の動作が制御される。
【００４１】
（デジタル放送信号を受信する場合）
テレビジョン放送受信装置１１２は、Ｈｏｓｔマイコン１５２の制御のもと、デジタル系アンテナ１６０を介して受信したデジタル放送信号をデジタルチューナ１６２に入力する。デジタルチューナ１６２は、Ｈｏｓｔマイコン１５２の制御のもと、デジタル放送信号から所定のチャンネルの放送信号を抽出する。所定のチャンネルとは、例えば、ユーザ操作により指定されたチャンネルのことである。さらに、テレビジョン放送受信装置１１２は、抽出した放送チャンネル信号に対して復調処理及びデスクランブル処理などを施す。復調処理、及びデスクランブル処理により放送チャンネルデータが得られる。この放送チャンネルデータはデマルチプレクサ１６４に入力される。
【００４２】
デマルチプレクサ１６４は、放送チャンネルデータから映像データと音声データとを分離して、これらをＡＶデコーダ１６６に送出する。ＡＶデコーダ１６６は、映像データをデコードして映像信号を生成し、音声データをデコードして音声信号を生成する。ＡＶデコーダ１６６により生成された映像信号は、ＧＵＩ（Ｇｒａｐｈｉｃａｌ  Ｕｓｅｒ  Ｉｎｔｅｒｆａｃｅ）重畳器１６８を介してディスプレイ１７０に送出される。一方で、ＡＶデコーダ１６６により生成された音声信号は、スピーカ１７２に送出される。なお、ＧＵＩ重畳器１６８は、映像信号に対してＯＳＤ（Ｏｎ  Ｓｃｒｅｅｎ  Ｄｉｓｐｌａｙ）などのグラフィック信号を重畳する。
【００４３】
このようにして映像信号がディスプレイ１７０に送出されると、ディスプレイ１７０からはデジタル放送の番組映像が出力される。一方、スピーカ１７２からは番組音声が出力される。上記の通り、テレビジョン放送受信装置１５０は、デジタル放送を受信した場合、受信信号から番組の映像信号及び番組の音声信号を再生してディスプレイ１７０及びスピーカ１７２に出力する。
【００４４】
（アナログ放送信号を受信する場合）
また、テレビジョン放送受信装置１１２は、Ｈｏｓｔマイコン１５２の制御のもと、アナログ系アンテナ１７４を介して受信したアナログ放送信号をアナログチューナ１７６に入力する。アナログチューナ１７６は、Ｈｏｓｔマイコン１５２の制御のもと、アナログ放送信号から所定のチャンネルの放送信号を抽出する。所定のチャンネルとは、例えばユーザ操作により指定されたチャンネルのことである。アナログチューナ１７６は、抽出した放送信号を復調器１７８に送出する。復調器１７８は、放送信号に対して所定の復調処理を施すことにより復調信号を得る。さらに、復調器１７８は、この復調信号から映像信号と音声信号とを分離する。復調器１７８により分離された映像信号は、ＧＵＩ重畳器１６８を介してディスプレイ１７０に送出される。一方で、復調器１７８により分離された音声信号は、スピーカ１７２に送出される。なお、ＧＵＩ重畳器１６８は、映像信号に対してＯＳＤなどのグラフィック信号を重畳する。
【００４５】
このようにして映像信号がディスプレイ１７０に送出されると、ディスプレイ１７０からは、アナログ放送の番組映像が出力される。一方、スピーカ１７２からは番組音声が出力される。上記の通り、テレビジョン放送受信装置１５０は、アナログ放送を受信した場合、受信信号から番組の映像信号及び番組の音声信号を再生してディスプレイ１７０及びスピーカ１７２に出力する。
【００４６】
（ＥＰＧ情報の抽出処理及び記録処理：デジタル放送の場合）
さらに、テレビジョン放送受信装置１５０は、Ｈｏｓｔマイコン１５２の制御のもと、デマルチプレクサ１６４により放送チャンネルデータからデジタル放送のＥＰＧ情報を分離して、これを不揮発性メモリ１５６に記録する。このＥＰＧ情報がチャンネルごとに提供される場合、Ｈｏｓｔマイコン１５２は、受信可能な複数のチャンネルのそれぞれの放送チャンネルデータからＥＰＧ情報を取得して不揮発性メモリ１５６に記録する。
【００４７】
（ＥＰＧ情報の抽出処理及び記録処理：アナログ放送の場合）
さらに、テレビジョン放送受信装置１５０は、Ｈｏｓｔマイコン１５２の制御のもと、復調器１７８により復調された復調信号をＶＢＩ（Ｖｅｒｔｉｃａｌ  Ｂｌａｎｋｉｎｇ  Ｉｎｔｅｒｖａｌ）スライサ１８０に送出する。ＶＢＩスライサ１８０は、復調信号の特定ラインを切り出して、これをＥＰＧデコーダ１８２に送出する。ＥＰＧデコーダ１８２は、復調信号の特定ラインをデコードすることによりアナログ放送のＥＰＧ情報を取得して不揮発性メモリ１５６に記録する。
【００４８】
また、テレビジョン放送受信装置１５０は、Ｈｏｓｔマイコン１５２の制御のもと、ＥＰＧ情報配信サーバ（非図示）から送信されるアナログ放送のＥＰＧ情報を受信する。受信したＥＰＧ情報は、ネットワークコントローラ１８６及びバス１５４を介して不揮発性メモリ１５６に記録される。
【００４９】
このようにしてテレビジョン放送受信装置１５０はＥＰＧ情報を取得する。なお、ＥＰＧ情報には、放送予定の番組に関する番組情報が含まれる。番組情報には、例えば、放送局名、チャンネル番号、放送日時、放送開始時刻、放送終了時刻、番組名、ジャンル、番組概要、番組詳細、出演者などが含まれている。
【００５０】
［映像表示装置５００の機能構成］
次に、図４を参照しながら、本実施形態に係る映像表示装置５００の機能構成について説明する。図４は、本実施形態に係る映像表示装置５００の機能構成例を示す説明図である。映像表示装置５００は、自装置が提供する所定の表示情報により、映像信号に重畳されてくる付加的な表示情報を画面上でマスクする機能に特徴を有する。
【００５１】
図４に示すように、映像表示装置５００は、主に、映像受信部５０２と、映像表示部５０４と、情報表示部５０６と、表示位置記録部５０８と、表示位置検出部５１０と、記憶部５１２と、出力部５１４とを有する。
【００５２】
映像受信部５０２は、放送局から映像信号を受信する。次いで、映像受信部５０２は、受信した映像信号を映像表示部５０４、及び表示位置検出部５１０に送信する。なお、上記の映像信号には、画像以外に付加的な表示情報が重畳されているものとする。ここで言う付加的な表示情報には、例えば、チャンネル情報、番組のタイトル情報、時刻情報などが含まれる。
【００５３】
映像表示部５０４は、映像受信部５０２から映像信号を受信する。そして、映像表示部５０４は、映像受信部５０２から受信した映像信号を出力部５１４に送信する。なお、出力部５１４は、映像信号を表示するための表示出力手段である。つまり、映像表示部５０４は、映像信号を出力部５１４に送信することで表示出力を制御する表示制御手段の一例である。出力部５１４に映像信号が送信されると、出力部５１４に映像が表示される。ユーザは、出力部５１４に表示された映像信号を視聴しながらチャンネル変更等の各種操作を行う。
【００５４】
上記の各種操作としては、チャンネル変更の他にも、例えば、音量の変更、輝度の調整、色味の変更等がある。これらの操作は、例えば、図２に例示したリモートコントローラ１０８を用いて行われる。また、上記の各種操作には、ＯＳＤ等を表示させたり、ＯＳＤ等の表示位置を移動させたり、ＯＳＤ等の表示サイズを変更したりする操作も含まれる。以下の説明においては、ＯＳＤに代表される表示オブジェクトのことを画面表示ＯＳＤと表記する場合がある。画面表示ＯＳＤには、例えば、画面に表示されるチャンネル情報、番組のタイトル情報、時刻情報等が含まれる。もちろん、本実施形態に係る技術の適用範囲は、ＯＳＤに限定されるものではない。
【００５５】
上記の通り、画面表示ＯＳＤは、映像信号に重畳されて配信される付加的な表示情報（以下では、単に、付加的な表示情報と呼ぶ。）とは独立したものである。そのため、画面表示ＯＳＤと、付加的な表示情報とが重複した内容を示す場合がある。このような場合、画面表示ＯＳＤと付加的な表示情報とが画面上に重複して表示されると、画面表示が煩雑になり、ユーザに不快感を与えてしまう。そこで、本実施形態においては、画面表示ＯＳＤの表示制御により、付加的な表示情報と画面表示ＯＳＤとが重複表示されるのを防止するための技術が提案される。以下、当該技術について詳細に説明する。
【００５６】
再び図４を参照する。表示位置検出部５１０は、映像受信部５０２から映像信号を受信すると、その映像信号に含まれる付加的な表示情報の表示位置を検出する。例えば、表示位置検出部５１０は、放送局のチャンネルロゴの形状や時間情報に用いられる文字の形状等を保持しており、これらの形状についてパターンマッチングを行うことで映像信号に含まれる付加的な情報の位置を検出することができる。
【００５７】
他の例として、表示位置検出部５１０は、付加的な表示情報が表示される位置、形状、大きさ等の情報がチャンネル毎に記載されたデータベースを保持していてもよい。この場合、表示位置検出部５１０は、当該データベースを参照することで、映像受信部５０２から受信した映像信号に対応する付加的な表示情報の位置等を検出することができる。
【００５８】
このような機能構成を有する表示位置検出部５１０を設けることで、映像信号に含まれる付加的な表示情報の位置等が自動的に検出される。表示位置検出部５１０により検出された付加的な表示情報の位置等に関する情報は、情報表示部５０６に送出される。なお、本実施形態においては、付加的な表示情報の位置等を自動検出する構成としたが、ユーザの目視により付加的な表示情報の位置等を検出する構成にする場合には表示位置検出部５１０が省略される。
【００５９】
情報表示部５０６は、出力部５１４に上記の画面表示ＯＳＤを表示させる。つまり、情報表示部５０６は、画面表示ＯＳＤの表示に関する表示制御手段の一例である。情報表示部５０６は、表示位置検出部５１０から付加的な表示情報の表示位置やサイズ等の情報を受信すると、当該表示位置やサイズ等の情報に基づいて画面表示ＯＳＤの表示位置を決定する。上記の通り、本実施形態の目的は、画面表示ＯＳＤにより付加的な表示情報を覆い隠すことにある。そのため、情報表示部５０６は、表示位置検出部５１０から受信した付加的な表示情報の位置に画面表示ＯＳＤの表示位置を決定する。また、情報表示部５０６は、表示位置検出部５１０から付加的な表示情報のサイズ情報を受信している場合には当該サイズ情報に基づいて画面表示ＯＳＤの表示サイズを決定する。
【００６０】
そして、情報表示部５０６は、上記のようにして決定したサイズに画面表示ＯＳＤを調整して、上記のようにして決定した出力部５１４の表示位置に画面表示ＯＳＤを表示させる。なお、付加的な表示情報の表示位置がユーザの目視で検出される構成にした場合、情報表示部５０６による画面表示ＯＳＤの表示方法は次のようになる。
【００６１】
まず、映像表示部５０４により出力部５１４に表示された映像をユーザが目視で確認し、付加的な表示情報の位置をユーザが確認する。次いで、ユーザがリモートコントローラ１０８を用いて画面表示ＯＳＤの表示位置を決定する。次いで、リモートコントローラ１０８から射出されたＩＲ信号が映像表示装置５００に入力され、情報表示部５０６に入力される。そこで、情報表示部５０６は、入力された画面表示ＯＳＤの表示位置を示す情報に基づいて画面表示ＯＳＤの位置を決定し、その位置に画面表示ＯＳＤを表示させる。
【００６２】
上記のいずれの方法を用いても、画面表示ＯＳＤにより付加的な表示情報が覆い隠され、１つの画面上に重複した内容の情報が表示されることが防止される。その結果、画面表示の煩雑さが抑制され、ユーザの不快感が解消されることになる。なお、画面表示ＯＳＤの表示方法については後段において詳述する。
【００６３】
上記のように、情報表示部５０６は、表示位置検出部５１０から受信した付加的な表示情報の位置等に基づいて画面表示ＯＳＤの表示位置を調整することができる。しかし、付加的な表示情報には、その種類や放送局によって表示位置が予め決定されているものがある。この種の付加的な情報については、映像信号を受信する度に表示位置を検出するのではなく、予め表示位置の情報を保持しておき、保持しておいた情報を使い回す方が効率的である。そこで、映像表示装置５００には、付加的な表示情報の位置等を記録しておくための手段が設けられている。以下、当該手段について説明する。
【００６４】
まず、情報表示部５０６は、表示位置検出部５１０から取得した位置情報やサイズ情報を表示位置記録部５０８に送信する。表示位置記録部５０８は、上記の位置情報やサイズ情報を記憶部５１２に記録する。なお、記憶部５１２に記録された上記の位置情報やサイズ情報の更新タイミングや記録タイミングは任意に設定される。例えば、所定の周期で上記の位置情報やサイズ情報が更新されるようにタイミングが設定されていてもよい。また、チャンネルの変更時、映像表示装置５００の電源投入時、映像信号の表示開始時等に上記の位置情報やサイズ情報が更新又は記録されるように設定されていてもよい。
【００６５】
一方、記憶部５１２に記録された上記の位置情報やサイズ情報は、情報表示部５０６により画面表示ＯＳＤが出力部５１４に表示される際に表示位置記録部５０８を介して読み出される。その後、情報表示部５０６は、上記の位置情報及びサイズ情報に基づいて画面表示ＯＳＤの表示位置、表示サイズを設定し、その設定内容に基づいて出力部５１４に表示させる。
【００６６】
［画面表示ＯＳＤの表示位置調整方法について］
次に、図５〜図９を参照しながら、画面表示ＯＳＤにより付加的な表示情報を覆い隠す方法について説明する。
【００６７】
（画面表示ＯＳＤの非表示状態）
図５は、出力部５１４に表示される映像信号、及び付加的な表示情報の一例を示す説明図である。但し、図５の例は、画面表示ＯＳＤが表示されていない状態を示している。また、図５には、付加的な表示情報の一例として、チャンネル情報１３４、及び時刻情報１３６が示されている。上記の通り、これらの情報は、映像信号に重畳された形態で提供されるものである。
【００６８】
まず、ユーザがチャンネルを設定した時、映像表示部５０４は、映像信号に重畳して付加的な表示情報を表示する。図５に示すように、付加的な表示情報とは、例えば、時刻に関する情報１３６と、設定しているチャンネルに関する情報１３４のことを指す。付加的な表示情報は、これらに限られるものではなく、例えば、放送局のロゴや番組のタイトルに関する情報であってもよい。
【００６９】
（画面表示ＯＳＤの表示状態：重複表示）
図６は、出力部５１４に表示される映像信号、及び付加的な表示情報の一例を示す説明図である。但し、図６の例は、画面表示ＯＳＤが表示されている状態を示している。
【００７０】
画面表示ＯＳＤの表示設定がされている場合、図６に示すように、上記付加的な表示情報とは別に、情報表示部５０６は、画面表示ＯＳＤを表示する。画面表示ＯＳＤは、例えば時刻に関する情報１３８と、設定しているチャンネルに関する情報１４０のことを指す。画面表示ＯＳＤは、これらに限られるものではなく、例えば、放送局のロゴや番組のタイトルに関する情報であってもよい。
【００７１】
映像表示部５０４が、付加的な表示情報として、時刻に関する情報１３６と、設定しているチャンネルに関する情報１３４と、を表示する。一方、情報表示部５０６は、画面表示ＯＳＤとして、時刻に関する情報１４０と、設定しているチャンネルに関する情報１３８が表示する。このように、同じ内容を含む所定の情報が一つの画面上に重複して表示された状態は、煩雑であり、ユーザに対して不快感を与えてしまう。そこで、本実施形態においては、図７〜図９に示すように、上記のような画面表示の煩雑さを抑制するための技術が提案される。
【００７２】
（画面表示ＯＳＤの表示位置調整方法）
図７、図８は、出力部５１４に表示される映像信号、及び付加的な表示情報の一例を示す説明図である。また、図７、図８は、画面表示ＯＳＤの表示位置調整方法を示す説明図である。
【００７３】
図７に示すように、まず、情報表示部５０６が、表示情報のうち、チャンネルに関する情報のみを移動させる場合について説明する。すなわち、本実施形態では、付加的な表示情報の一部であるチャンネルに関する情報（以下、付加的な表示情報（チャンネル）と記す。）１３４を覆い隠すように、情報表示部５０６は、画面表示ＯＳＤの一部であるチャンネルに関する情報（以下、画面表示ＯＳＤ（チャンネル）と記す。）１３８を移動させる。
【００７４】
具体的に、画面表示ＯＳＤ（チャンネル）１３８を図７に示すような長方形と仮定した場合、２本の対角線の交わる点である中心点の座標をＰ２（Ｘ２，Ｙ２）として説明する。また、付加的な表示情報（チャンネル）１３４も同様に図中に点線で示された長方形と仮定した場合、２本の対角線の交わる点である中心点の座標をＰ１（Ｘ１，Ｙ１）として説明する。
【００７５】
図７に示すように、座標Ｐ１とＰ２との間の関係については、以下の３つの場合を考える。
（ａ）Ｘ１とＸ２が等しくない、もしくはＹ１とＹ２が等しくないとき
（ｂ）Ｘ１とＸ２、及びＹ１とＹ２の双方が等しくないとき
（ｃ）Ｘ１とＸ２、及びＹ１とＹ２の双方が等しいとき
【００７６】
上述のうち（ｃ）の場合、情報表示部５０６は、必ずしも画面表示ＯＳＤ（チャンネル）１３８を移動させる必要はない。
【００７７】
これら３つの場合の中で、（ａ）又は（ｂ）の場合、情報表示部５０６は、必要に応じて画面表示ＯＳＤ（チャンネル）１３８を移動させる。移動させる場合、情報表示部５０６は、画面表示ＯＳＤ（チャンネル）１３８の中心点Ｐ２（Ｘ２，Ｙ２）をＰ１（Ｘ１，Ｙ１）まで移動させても良いが、必ずしもＰ１（Ｘ１、Ｙ１）まで移動させる必要はない。上記の通り、本実施形態では、画面表示ＯＳＤ（チャンネル）１３８によって付加的な表示情報（チャンネル）１３４が全て覆い隠されれば十分である。
【００７８】
そのため、例えば、画面表示ＯＳＤ（チャンネル）１３８の中心点のＹ座標のみを、付加的な表示情報（チャンネル）１３４のＹ座標であるＹ１まで移動させるだけでもよいことがある。また、情報表示部５０６は、画面表示ＯＳＤ（チャンネル）１３８をＹ方向には移動させず、画面表示ＯＳＤ（チャンネル）１３８の中心点のＸ座標のみを付加的な表示情報（チャンネル）１３４のＸ座標Ｘ１まで移動させるだけでもよいことがある。このように、適宜、画面表示ＯＳＤの表示位置が調整されることで、付加的な表示情報（チャンネル）１３４が画面上に映し出されないように覆い隠すことができる。
【００７９】
上記のようにして、情報表示部５０６は、画面表示ＯＳＤ（チャンネル）１３８の表示位置を調整して付加的な表示情報（チャンネル）１３４を覆い隠す。このような機能は、例えば、表示位置検出部５１０が付加的な表示情報（チャンネル）１３４の位置情報を検出して、当該位置情報を情報表示部５０６に送信することによって実現される。また、このような機能は、ユーザがリモートコントローラ１０８を操作することによっても実現される。
【００８０】
また、上述の（ａ）〜（ｃ）のうち、（ａ）又は（ｂ）の場合であっても、情報表示部５０６が画面表示ＯＳＤ（チャンネル）１３８を移動させる前に、既に付加的な表示情報（チャンネル）１３４の文字部分が画面上に映し出されない場合もある。このように、付加的な表示情報（チャンネル）１３４の全てが画面表示ＯＳＤによって覆い隠されていれば、画面表示ＯＳＤ（チャンネル）１３８の移動処理は実行されなくてもよい。
【００８１】
次に、図８に示すように、まず、情報表示部５０６が、表示情報のうち、チャンネルの情報に加えて、時間に関する情報をも移動させる場合について説明する。
【００８２】
図８に示すように、情報表示部５０６が、画面表示ＯＳＤ（チャンネル）１３８に付加的な表示情報（チャンネル）１３４を覆い隠させる。そして、上記情報表示部５０６は、画面表示ＯＳＤの一部である時刻に関する情報１４０に、付加的な表示情報の一部である時刻に関する情報１３６を覆い隠させるように、上記画面表示ＯＳＤ（時間）１４０を移動させる。なお、以下の説明において、画面表示ＯＳＤの一部である時刻に関する情報１４０のことを画面表示ＯＳＤ（時間）１４０と記す。同様に、付加的な表示情報の一部である時刻に関する情報１３６のことを付加的な表示情報（時間）１３６と記す。
【００８３】
具体的には、上述してきたように、情報表示部５０６が画面表示ＯＳＤ（チャンネル）１３８に、付加的な表示情報（チャンネル）１３４を覆い隠させる場合と同様に、上記情報表示部５０６は、画面表示ＯＳＤ（時間）１４０を移動させる。具体的には、画面表示ＯＳＤ（時間）１４０を長方形と仮定した場合、２本の対角線の交わる点である中心点の座標をＰ４（Ｘ４，Ｙ４）として説明する。また、付加的な表示情報（時間）１３６も同様に長方形と仮定した場合、対角線の交わる点である中心点の座標をＰ３（Ｘ３，Ｙ３）として説明する。
【００８４】
上述してきたように、情報表示部５０６が、画面表示ＯＳＤ（チャンネル）１３８に、付加的な表示情報（チャンネル）１３４を覆い隠させる場合と同様に、画面表示ＯＳＤ（時間）１４０の中心点がＰ３（Ｘ３，Ｙ３）に移動して、付加的な表示情報（時間）１３６が覆い隠される。また、画面表示ＯＳＤ（時間）１４０の中心点が厳密にＰ３（Ｘ３，Ｙ３）に移動して、付加的な表示情報（時間）１３６を覆い隠す必要性はない。
【００８５】
また、情報表示部５０６は、画面表示ＯＳＤ（時間）１４０を、Ｙ方向には移動させずに、Ｘ方向にのみ移動させて、付加的な表示情報（チャンネル）１３４を覆い隠してもよい。また、Ｘ方向には移動させずに、Ｙ方向にのみ画面表示ＯＳＤ（時間）１４０を移動させて、付加的な表示情報（チャンネル）１３４を覆い隠してもよい。つまり、付加的な表示情報（時間）１３６が画面表示ＯＳＤ（時間）１４０によって全て覆い隠されるように、情報表示部５０６は、画面表示ＯＳＤ（時間）１４０を移動させればよい。
【００８６】
上述してきたように、情報表示部５０６が、上記画面表示ＯＳＤ（時間）１４０に付加的な表示情報（時間）１３６を覆い隠させる。このような機能は、表示位置検出部５１０が付加的な表示情報（時間）１３６の位置情報を検出し、当該位置情報が情報表示部５０６に送信され、情報表示部５０６によって画面表示ＯＳＤの表示位置が調整されることで実現される。また、このような機能は、ユーザがリモートコントローラ１０８を操作することによっても実現されうる。
【００８７】
図９は、図７、図８を参照しながら説明した画面表示ＯＳＤの表示位置調整方法を用いることで、画面１３２上で、付加的な表示情報（チャンネル）１３４と付加的な表示情報（時間）１３８が覆い隠された状態を図示したものである。図６に示した画面１３２上の表示情報と比べて、図９に示した画面１３２上の表示情報は、煩雑さが解消されている。このような表示構成であれば、ユーザに対する不快感を与えることもない。
【００８８】
なお、表示情報は、チャンネルや時間に関するものに限られず、例えば、番組名等に関するものであってもよい。番組名等に関する表示情報であっても、図７〜図９に示した例と同様に、画面表示ＯＳＤの表示位置を調整することにより覆い隠すことで、煩雑さは解消され、ユーザの不快感は解消される。
【００８９】
また、上述してきた例では、付加的な表示情報（チャンネル）１３４が画面表示ＯＳＤ（チャンネル）１３６によって、覆い隠されて、付加的な表示情報（時間）１３６が画面表示ＯＳＤ（時間）１４０によって覆い隠される例を示してきた。しかし、付加的な表示情報（チャンネル）１３４が画面表示ＯＳＤ（時間）１４０によって覆い隠されるように、情報表示部５０６が画面表示ＯＳＤ（時間）１４０を移動させてもよい。また、付加的な表示情報（時間）１３６が画面表示ＯＳＤ（チャンネル）１３６によって覆い隠されるように、情報表示部５０６が画面表示ＯＳＤ（チャンネル）１３６を移動させてもよい。
【００９０】
また、上述してきた例では、画面表示ＯＳＤ（チャンネル）１３６が最初に移動してから、画面表示ＯＳＤ（時間）１４０が移動する例を示したが、必ずしも、このような順序で移動させなくてもよい。つまり、情報表示部５０６は、画面表示ＯＳＤ（時間）１４０を移動させてから、画面表示ＯＳＤ（チャンネル）１３６が移動させてもよい。また、情報表示部５０６は、画面表示ＯＳＤ（時間）１４０と画面表示ＯＳＤ（チャンネル）１３６とを同時に移動させてもよい。
【００９１】
以上、画面表示ＯＳＤの表示位置を調整することで、映像信号に重畳して提供される付加的な表示情報を覆い隠し、画面上に重複した情報が表示されないようにする技術について説明した。
しかしながら、画面表示ＯＳＤと付加的な表示情報との間に、サイズの違いや形状の違い等がある場合、情報表示部５０６は、画面表示ＯＳＤのサイズや形状を変更させる必要が生じてくる場合がある。また、サイズの変更が必要無くても、表示位置の移動とサイズ変更とを組み合わせることで、より少ない処理で付加的な表示情報を覆い隠せる場合もある。このような場合には、積極的にサイズ変更や形状変更を用いる方が効果的である。このような観点から、以下では、情報表示部５０６が、画面表示ＯＳＤのサイズや形状の変更を行うケースについて説明する。
【００９２】
［画面表示ＯＳＤのサイズ調整方法について］
次に、図１０〜図１８を参照しながら、画面表示ＯＳＤのサイズ調整方法について説明する。ここでは、画面表示ＯＳＤのサイズを調整するケースについて説明すると共に、形状を変更するケースについても併せて説明する。
【００９３】
（画面表示ＯＳＤの表示状態：重複表示）
図１０は、出力部５１４に表示される映像信号、及び付加的な表示情報の一例を示す説明図である。また、図１０の例は、画面表示ＯＳＤが表示されている状態を示している。まず、ユーザがチャンネルを設定した時、映像表示部５０４は、映像信号に重畳して付加的な表示情報を表示する。図１０に示すように、付加的な表示情報とは、例えば、時計に関する情報２３６と、設定しているチャンネルに関する情報２３４のことを指す。付加的な表示情報は、これらに限られるものではなく、例えば、番組のタイトルに関する情報であってもよい。
【００９４】
画面表示ＯＳＤの表示設定がされている場合、図１１に示すように、上記付加的な表示情報とは別に、情報表示部５０６は、画面表示ＯＳＤを表示する。画面表示ＯＳＤは、例えば時計に関する情報２３８と、設定しているチャンネルに関する情報２４０のことを指す。画面表示ＯＳＤは、これらに限られるものではなく、例えば、放送局のロゴや番組のタイトルに関する情報であってもよい。
【００９５】
本実施形態では、まず、情報表示部５０６が、表示情報を移動させてから、表示情報のサイズを変更させる形態について説明する。表示情報の移動に関しては、図７、８を参照しながら上記の画面表示ＯＳＤの表示位置調整方法について説明してきたものと同様である。すなわち、図１１及び図１２に示すように、付加的な表示情報（チャンネル）２３４が画面表示ＯＳＤ（チャンネル）２３８によって覆い隠されるように、情報表示部５０６が画面表示ＯＳＤ（チャンネル）２３８を移動させる。また、付加的な表示情報（時間）２３６が画面表示ＯＳＤ（時間）２４０によって覆い隠されるように、情報表示部５０６が画面表示ＯＳＤ（時間）２４０を移動させる。
【００９６】
図１３は、図１１、図１２を参照しながら説明した画面表示ＯＳＤの表示位置調整方法を用いることで、画面２３２上で画面表示ＯＳＤ（チャンネル）２３８と、画面表示ＯＳＤ（時間）２４０を移動させた状態を図示したものである。情報表示部５０６が、当該画面表示ＯＳＤ（チャンネル）２３８を移動させるだけでは、付加的な表示情報（チャンネル）２３４を覆い隠すことができない場合がある。また、上記同様に、情報表示部５０６が、当該画面表示ＯＳＤ（時間）２３６を移動させるだけでは、付加的な表示情報（時間）２３６を覆い隠すことができない場合もある。このように、画面表示ＯＳＤが付加的な表示情報を覆い隠すことができずに画面上に重複して表示された状態は、煩雑であり、ユーザに不快感を与えてしまう。そこで、本実施形態においては、図１０〜図１８に示すように、上記のような画面表示の煩雑さを抑制するための技術が提案される。
【００９７】
（画面表示ＯＳＤの表示位置調整方法）
画面表示ＯＳＤが付加的な表示情報を覆い隠すことができない場合とは、例えば、画面表示ＯＳＤよりも付加的な表示情報の方が大きい場合である。この場合、図１０のように、画面表示ＯＳＤを付加的な表示情報の中心に近づけて、なるべく付加的な表示情報を画面２３２上に映し出さないようにしたとしても、画面表示ＯＳＤが付加的な表示情報を全て覆い隠すことができない。また、画面表示ＯＳＤの形状と付加的な表示情報の形状が大きく異なる場合にも、覆い隠すことができない場合が生じうる。
【００９８】
情報表示部５０６が、なるべく付加的な表示情報を画面２３２上に映し出さないように画面表示ＯＳＤを移動させる場合について、図１１の画面表示ＯＳＤ２３８（チャンネル）の移動を例に説明する。画面表示ＯＳＤ２３８（チャンネル）を長方形と仮定したときに、当該長方形の２本の対角線の交わる中心点をＰ６（Ｘ６，Ｙ６）として説明する。また、付加的な表示情報（チャンネル）２３４も点線に示すような長方形と仮定したときに、当該長方形の対角線の交わる中心点をＰ５（Ｘ５，Ｙ５）として説明する。
【００９９】
このような場合において、Ｐ６（Ｘ６，Ｙ６）とＰ５（Ｘ５，Ｙ５）が異なる位置である場合、画面表示ＯＳＤ（チャンネル）２３８が付加的な表示情報（チャンネル）２３４をなるべく隠すには、情報表示部５０６が、画面表示ＯＳＤ（チャンネル）２３８の中心点を、Ｐ５（Ｘ５，Ｙ５）に移動させた場合である。
【０１００】
また、同様に図１２を参照しながら、情報表示部５０６が、なるべく付加的な表示情報を画面２３２上に映し出さないように画面表示ＯＳＤを移動させる場合について、画面表示ＯＳＤ２４０（時間）の移動も説明する。画面表示ＯＳＤ２４０（時間）を長方形と仮定したときに、当該長方形の２本の対角線の交わる中心点をＰ８（Ｘ８，Ｙ８）として説明する。また、付加的な表示情報（時間）２３６も点線に示すような長方形と仮定したときに、当該長方形の対角線の交わる中心点をＰ７（Ｘ７，Ｙ７）として説明する。
【０１０１】
このような場合において、Ｐ８（Ｘ８，Ｙ８）とＰ７（Ｘ７，Ｙ７）が異なる位置である場合、画面表示ＯＳＤ（時間）２４０が付加的な表示情報（時間）２３６をなるべく隠すには、情報表示部５０６が、画面表示ＯＳＤ（時間）２４０の中心点を、Ｐ７（Ｘ７，Ｙ７）に移動させた場合である。
【０１０２】
図１３は、図１１、図１２を参照しながら説明した画面表示ＯＳＤの表示位置調整方法によって、なるべく付加的な表示情報が画面２３２上に映し出されないようにした状態を示す図である。画面表示ＯＳＤ（チャンネル）２３８が、付加的な表示情報（チャンネル）２３４よりもサイズが小さいために、画面表示ＯＳＤ（チャンネル）２３８は、付加的な表示情報（チャンネル）２３４を完全には覆い隠しきれていない。また、画面表示ＯＳＤ（時間）２４０も、付加的な表示情報２３４よりもサイズが小さいために、画面表示ＯＳＤ（時間）２４０は、付加的な表示情報２３４を完全には覆い隠しきれていない。この場合、情報表示部５０６は、画面表示ＯＳＤ（チャンネル）２３８及び画面表示ＯＳＤ（時間）２４０のサイズ又は形状を適宜変更することで完全に覆い隠すことができる。
【０１０３】
（画面表示ＯＳＤのサイズ調整後の表示状態について）
まず、情報表示部５０６が、画面表示ＯＳＤ（チャンネル）２３８のみのサイズを変更する場合について説明する。情報表示部５０６は、図１３に示す画面表示ＯＳＤ（チャンネル）２３８をＹ方向及びＸ方向に長さを伸張する。その結果、画面表示ＯＳＤ（チャンネル）２３８は、図１４に示す画面表示ＯＳＤ（チャンネル）３３８になる。また、情報表示部５０６は、図１４に示す画面表示ＯＳＤ（時計）２４０もＹ方向及びＸ方向に長さを伸張する。その結果、画面表示ＯＳＤ（時計）２４０は、図１５に示すような大きさの画面表示ＯＳＤ（時計）３４０になる。図１５に示すように、このようなサイズの変更により、画面表示ＯＳＤ（チャンネル）２３８は、付加的な表示情報（チャンネル）２３４を覆い隠す。また、同様に、このようなサイズの変更により、画面表示ＯＳＤ（時間）２４０は、付加的な表示情報（時間）２３６を覆い隠す。
【０１０４】
上述してきたように、情報表示部５０６が、上記画面表示ＯＳＤ（チャンネル）３３８に付加的な表示情報（チャンネル）２３６を覆い隠させる。また、情報表示部５０６が、上記画面表示ＯＳＤ（時間）３４０に付加的な表示情報（時間）２３６を覆い隠させる。このような機能は、表示位置検出部５１０が付加的な表示情報のサイズ情報を検出し、当該サイズ情報に示されたサイズで情報表示部５０６により画面表示ＯＳＤが表示されることで実現される。また、このような機能は、ユーザがリモートコントローラ１０８を操作することによっても実現されうる。
【０１０５】
図１５は、図１２、図１３を参照しながら説明してきたように、画面２３２上で付加的な表示情報（チャンネル）２３４と付加的な表示情報（時間）２３８が、画面表示ＯＳＤ（チャンネル）３３６と画面表示ＯＳＤ（時間）３４０によって覆い隠された状態を図示したものである。図１１又は図１３に示した画面２３２上の表示情報と比べて、図１５に示した画面２３２上の表示情報は、煩雑さが解消されている。このような表示構成であれば、ユーザに対する不快感を与えることもない。
【０１０６】
（画面表示ＯＳＤのサイズ変更方法について）
次に、図１６〜図２１を参照しながら、画面表示ＯＳＤのサイズ変更方法（形状変更方法）について説明する。
【０１０７】
図１６〜図１８については、画面表示ＯＳＤ（チャンネル）２３８のサイズの変更、画面表示ＯＳＤ（チャンネル）２３８の形状の変更について説明する。
【０１０８】
まず、図１６を参照する。サイズ調整前において、画面表示ＯＳＤ（チャンネル）２３８のＸ方向の長さｂ１は、付加的な表示情報（チャンネル）２３４のＸ方向の長さｂ２と同じ、もしくはほぼ同等である。そのため、情報表示部５０６は、Ｘ方向の長さの調整等を行わない。しかしながら、サイズ調整前において、画面表示ＯＳＤ（チャンネル）２３８のＹ方向の長さａ１は、付加的な表示情報（チャンネル）２３４のＹ方向の長さａ２よりも短い。そのため、情報表示部５０６は、Ｙ方向の長さの調整を行う。つまり、情報表示部５０６は、画面表示ＯＳＤ（チャンネル）２３８のＹ方向の長さをａ２に伸長する。
【０１０９】
なお、情報表示部５０６は、サイズ調整前の画面表示ＯＳＤ（チャンネル）２３８のＹ方向とＸ方向の比率を変えずに伸長してもよい。また、情報表示部５０６は、画面表示ＯＳＤ（チャンネル）２３８のＹ方向について、付加的な表示情報（チャンネル）２３４を覆い隠すための必要最小限の伸長以上に伸長してもよい。
【０１１０】
さらに、画面表示ＯＳＤ（チャンネル）２３８が、長方形であった場合に、楕円形、菱形、多角形等に変形されてもよい。付加的な表示情報（チャンネル）が画面表示ＯＳＤ（チャンネル）２３８によって、全て覆い隠されるのであれば、多様な形態を取りうる。付加的な表示情報（チャンネル）２３４を全て覆い隠すという目的のみならず、チャンネルに関する文字情報を画面２３２上で見やすくすること、またチャンネルに関する文字情報のデザインをユーザの嗜好に合わせること等も考慮して、多様なサイズ変更がなされうる。
【０１１１】
次に、図１７を参照する。サイズ調整前においては、画面表示ＯＳＤ（チャンネル）２３８のＹ方向の長さａ１は、付加的な表示情報（チャンネル）２３４のＹ方向の長さａ２と同じ、もしくはほぼ同等である。そのため、情報表示部５０６は、Ｙ方向の長さの調整等は行わない。しかしながら、サイズ調整前において、画面表示ＯＳＤ（チャンネル）２３８のＸ方向の長さｂ１は、付加的な表示情報（チャンネル）２３４のＸ方向の長さｂ２よりも短い。そのため、情報表示部５０６は、Ｘ方向の長さの調整を行う。つまり、情報表示部５０６は、画面表示ＯＳＤ（チャンネル）２３８のＸ方向の長さはｂ２に伸長する。
【０１１２】
なお、情報表示部５０６は、サイズ調整前の画面表示ＯＳＤ（チャンネル）２３８のＹ方向とＸ方向の比率を変えずに、伸長してもよい。また、情報表示部５０６は、画面表示ＯＳＤ（チャンネル）２３８のＸ方向について、付加的な表示情報（チャンネル）２３４を覆い隠すための必要最小限の伸長以上に伸長してもよい。
【０１１３】
さらに、画面表示ＯＳＤ（チャンネル）２３８が、長方形であった場合に、楕円形、菱形、多角形等に変形されてもよい。付加的な表示情報（チャンネル）が画面表示ＯＳＤ（チャンネル）２３８によって、全て覆い隠されるのであれば、多様な形態を取りうる。本実施形態の目的である、付加的な表示情報（チャンネル）２３４を全て覆い隠すという目的のみならず、チャンネルに関する文字情報を画面２３２上で見やすくすること、またチャンネルに関する文字情報のデザインをユーザの嗜好に合わせること等も考慮して、多様なサイズ変更がなされうる。
【０１１４】
次に、図１８を参照する。サイズ調整前において、画面表示ＯＳＤ（チャンネル）２３８のＹ方向の長さａ１は、付加的な表示情報（チャンネル）２３４のＹ方向の長さａ２よりも短い。また、画面表示ＯＳＤ（チャンネル）２３８のＸ方向の長さｂ１は、付加的な表示情報（チャンネル）２３４のＸ方向の長さｂ２よりも短い。そのため、情報表示部５０６は、画面表示ＯＳＤ（チャンネル）２３４のＸ方向とＹ方向の双方についてサイズ調整する。つまり、情報表示部５０６は、画面表示ＯＳＤ（チャンネル）２３８のＸ方向の長さをｂ２に伸長して、画面表示ＯＳＤ（チャンネル）２３８のＹ方向の長さをａ２に伸長する。
【０１１５】
なお、情報表示部５０６は、サイズ調整前の画面表示ＯＳＤ（チャンネル）２３８のＹ方向とＸ方向の比率を変えずに、伸長してもよい。また、情報表示部５０６は、情報表示部５０６は、画面表示ＯＳＤ（チャンネル）２３８のＸ方向について、付加的な表示情報（チャンネル）２３４を覆い隠すための必要最小限の伸長以上に伸長してもよい。また、情報表示部５０６は、情報表示部５０６は、画面表示ＯＳＤ（チャンネル）２３８のＹ方向について、付加的な表示情報（チャンネル）２３４を覆い隠すための必要最小限の伸長以上に伸長してもよい。
【０１１６】
さらに、画面表示ＯＳＤ（チャンネル）２３８が、長方形であった場合に、楕円形、菱形、多角形等に変形されてもよい。付加的な表示情報（チャンネル）が画面表示ＯＳＤ（チャンネル）２３８によって、全て覆い隠されるのであれば、多様な形態を取りうる。また、付加的な表示情報（チャンネル）２３４を全て覆い隠すという目的のみならず、チャンネルに関する文字情報を画面２３２上で見やすくすること、またチャンネルに関する文字情報のデザインをユーザの嗜好に合わせること等も考慮して、多様なサイズ変更がなされうる。
次に、図１９〜図２１については、画面表示ＯＳＤ（時間）２４０のサイズの変更、画面表示ＯＳＤ（時間）２４０の形状の変更について説明する。
【０１１７】
まず、図１９を参照する。サイズ調整前において、画面表示ＯＳＤ（時間）２４０のＸ方向の長さｂ３は、付加的な表示情報（時間）２３６のＸ方向の長さｂ４と同じ、もしくはほぼ同等である。そのため、情報表示部５０６は、Ｘ方向の長さの調整等を行わない。しかしながら、サイズ調整前において、画面表示ＯＳＤ（時間）２４０のＹ方向の長さａ３は、付加的な表示情報（時間）２３６のＹ方向の長さａ４よりも短い。そのため、情報表示部５０６は、Ｙ方向の長さの調整を行う。つまり、情報表示部５０６は、画面表示ＯＳＤ（時間）２４０のＹ方向の長さをａ４に伸長する。
【０１１８】
なお、情報表示部５０６は、サイズ調整前の画面表示ＯＳＤ（時間）２４０のＹ方向とＸ方向の比率を変えずに伸長してもよい。また、情報表示部５０６は、画面表示ＯＳＤ（時間）２４０のＹ方向について、付加的な表示情報（時間）２３６を覆い隠すための必要最小限の伸長以上に伸長してもよい。
【０１１９】
さらに、画面表示ＯＳＤ（時間）２４０が、長方形であった場合に、楕円形、菱形、多角形等に変形されてもよい。付加的な表示情報（時間）が画面表示ＯＳＤ（時間）２４０によって、全て覆い隠されるのであれば、多様な形態を取りうる。付加的な表示情報（時間）２３６を全て覆い隠すという目的のみならず、時間に関する文字情報を画面２３２上で見やすくすること、また時間に関する文字情報のデザインをユーザの嗜好に合わせること等も考慮して、多様なサイズ変更がなされうる。
【０１２０】
次に、図２０を参照する。サイズ調整前においては、画面表示ＯＳＤ（時間）２４０のＹ方向の長さａ３は、付加的な表示情報（時間）２３６のＹ方向の長さａ４と同じ、もしくはほぼ同等である。そのため、情報表示部５０６は、Ｙ方向の長さの調整等は行わない。しかしながら、サイズ調整前において、画面表示ＯＳＤ（時間）２４０のＸ方向の長さｂ３は、付加的な表示情報（時間）２３６のＸ方向の長さｂ４よりも短い。そのため、情報表示部５０６は、Ｘ方向の長さの調整を行う。つまり、情報表示部５０６は、画面表示ＯＳＤ（時間）２４０のＸ方向の長さはｂ４に伸長する。
【０１２１】
なお、情報表示部５０６は、サイズ調整前の画面表示ＯＳＤ（時間）２４０のＹ方向とＸ方向の比率を変えずに、伸長してもよい。また、情報表示部５０６は、画面表示ＯＳＤ（時間）２４０のＸ方向について、付加的な表示情報（時間）２３６を覆い隠すための必要最小限の伸長以上に伸長してもよい。
【０１２２】
さらに、画面表示ＯＳＤ（時間）２４０が、長方形であった場合に、楕円形、菱形、多角形等に変形されてもよい。付加的な表示情報（時間）が画面表示ＯＳＤ（時間）２４０によって、全て覆い隠されるのであれば、多様な形態を取りうる。本実施形態の目的である、付加的な表示情報（時間）２３６を全て覆い隠すという目的のみならず、時間に関する文字情報を画面２３２上で見やすくすること、また時間に関する文字情報のデザインをユーザの嗜好に合わせること等も考慮して、多様なサイズ変更がなされうる。
【０１２３】
次に、図２１を参照する。サイズ調整前において、画面表示ＯＳＤ（時間）２４０のＹ方向の長さａ３は、付加的な表示情報（時間）２３６のＹ方向の長さａ４よりも短い。また、画面表示ＯＳＤ（時間）２４０のＸ方向の長さｂ３は、付加的な表示情報（時間）２３６のＸ方向の長さｂ４よりも短い。そのため、情報表示部５０６は、画面表示ＯＳＤ（時間）２３６のＸ方向とＹ方向の双方についてサイズ調整する。つまり、情報表示部５０６は、画面表示ＯＳＤ（時間）２４０のＸ方向の長さをｂ４に伸長して、画面表示ＯＳＤ（時間）２４０のＹ方向の長さをａ４に伸長する。
【０１２４】
なお、情報表示部５０６は、サイズ調整前の画面表示ＯＳＤ（時間）２４０のＹ方向とＸ方向の比率を変えずに、伸長してもよい。また、情報表示部５０６は、情報表示部５０６は、画面表示ＯＳＤ（時間）２４０のＸ方向について、付加的な表示情報（時間）２３６を覆い隠すための必要最小限の伸長以上に伸長してもよい。また、情報表示部５０６は、情報表示部５０６は、画面表示ＯＳＤ（時間）２４０のＹ方向について、付加的な表示情報（時間）２３６を覆い隠すための必要最小限の伸長以上に伸長してもよい。
【０１２５】
さらに、画面表示ＯＳＤ（時間）２４０が、長方形であった場合に、楕円形、菱形、多角形等に変形されてもよい。付加的な表示情報（時間）が画面表示ＯＳＤ（時間）２４０によって、全て覆い隠されるのであれば、多様な形態を取りうる。また、付加的な表示情報（時間）２３６を全て覆い隠すという目的のみならず、時間に関する文字情報を画面２３２上で見やすくすること、また時間に関する文字情報のデザインをユーザの嗜好に合わせること等も考慮して、多様なサイズ変更がなされうる。
【０１２６】
上述してきたように、情報表示部５０６が、画面表示ＯＳＤの位置情報及びサイズ情報の変更を実行することについて、図５〜図２１を参照しながら説明してきた。情報表示部５０６が、画面表示ＯＳＤの位置情報及びサイズ情報の変更を実行した後、情報表示部５０６は、画面表示ＯＳＤの位置情報及びサイズ情報を、表示位置記録部５０８に送信する。
【０１２７】
表示位置記録部５０８は、画面表示ＯＳＤの位置情報及びサイズ情報を記憶部５１２に記録しておくことができる。記憶部５１２は、後にユーザがチャンネルを変更した場合や映像表示装置５００の電源を付けた場合等に、記憶させておいた画面表示ＯＳＤの位置情報及びサイズ情報を表示位置記録部５０８に送信する。その結果、表示位置記録部５０８は、情報表示部５０６に当該記憶させておいた画面表示ＯＳＤの位置情報及びサイズ情報を送信する。
【０１２８】
情報表示部５０６は、取得した上記記憶させておいた画面表示ＯＳＤの位置情報及びサイズ情報を基に、ユーザによる操作等の必要なく画面表示ＯＳＤを移動させることができる。上述したように、映像表示装置５００は、画面表示ＯＳＤの位置情報及びサイズ情報を記憶部５１２に記録しておくことで、ユーザは、チャンネルを設定するたびに、画面表示ＯＳＤの位置やサイズの調整を行う必要ない。その結果、ユーザは煩雑な作業をすることなく、付加的な表示情報が画面表示ＯＳＤによって覆い隠された画面で、映像を視聴することができる。
【０１２９】
［ユーザ操作による画面表示ＯＳＤの表示設定］
次に、図２２〜図２３を参照しながら、画面表示ＯＳＤの表示設定方法について説明する。
【０１３０】
まず、図２２を参照しながら、ユーザによる操作によって、情報表示部５０６が、画面表示ＯＳＤを移動させたり、画面表示ＯＳＤのサイズを変更したりすることができる場合について説明する。ユーザによる操作とは、図２２に示すような、画面上のアイコンの選択を基にユーザが行う操作を指す。
【０１３１】
例えば、ユーザは種々のアイコンから「画面表示移動（時計）」のアイコンキーを、図２に示すようなリモートコントローラ１０００を用いて、カーソルを上下左右キー１０６０で上下させ、決定キー１０６２を押すことで選択することができる。その結果、ユーザは、画面表示ＯＳＤ（時計）２４０の移動をさせるように、情報表示部５０６に指令することができる。すなわち、ユーザは、図２に示すリモートコントローラ１０００を用いることによって、情報表示部５０６に画面表示ＯＳＤ（時計）２４０を移動させるように指令することができる。
【０１３２】
図２に示すリモートコントローラにおいて、ユーザは、画面上のＸＹ方向への移動については、上下左右キー１０６０を利用することによって行うことができる。また、サイズ変更については、例えば、ユーザが、音量アップキー１０２０を押すことによって、画面表示ＯＳＤをＸ方向に伸張させることができる。また、ユーザが音量ダウンキー１０２２を押すことによって、画面表示ＯＳＤをＸ方向に縮めることができる。また、ユーザがチャンネル＋キー１０５２を押すことによって、画面表示ＯＳＤをＹ方向に伸張させることができる。また、ユーザがチャンネル−キー１０５４を押すことによって、画面表示ＯＳＤをＹ方向に縮めることができる。
【０１３３】
上述した、ユーザの操作によって、情報表示部５０６が画面表示ＯＳＤを移動させた後、ユーザは、当該画面表示ＯＳＤの位置や形状やサイズに関する情報を表示位置記録部５０８を介して、記憶部５１２に記憶させることができる。
【０１３４】
［データベースを利用した画面表示ＯＳＤの表示設定］
また、上述のようなユーザによって、画面表示ＯＳＤを移動させる操作を必要としない例を次に挙げる。すなわち、図２３を参照しながら、データベースの利用によって、情報表示部５０６が、画面表示ＯＳＤを移動させたり、画面表示ＯＳＤのサイズを変更したりすることができる場合について説明する。データベースとは、例えば、画面表示ＯＳＤのチャンネル毎の画面上における最適な位置や形状やサイズに関するデータのファイルのことを指す。データベースの利用とは、例えば、図２０に示すような、チャンネル毎の情報を予め、映像表示装置５００が有していて、当該情報を利用することを指す。
【０１３５】
例えば、ユーザは種々のアイコンから「テレビ朝月」のアイコンキーを図２に示すようなリモートコントローラを用いて、カーソルを上下左右キー１０６０で上下させ、決定キー１０６２を押すことで選択することができる。その結果、ユーザが、その他の操作を行わずに、図１２等に示すような、画面表示ＯＳＤ（時計）や画面表示ＯＳＤ（チャンネル）の移動及びサイズ変更を情報表示部５０６が行う。ユーザは、リモートコントローラの上下左右キー１０６０を用いて、上下にカーソルを移動させて、決定キー１０６２を押すことで、必要なチャンネルのアイコンを選択することができる。その結果、映像表示装置５００が有するデータベースを基に、情報表示部５０６は、画面表示ＯＳＤを移動させたり、画面表示ＯＳＤのサイズを変更したりすることができる。また、その他の機能を情報表示部５０６が行えるように設定されていてもよい。例えば、情報表示部５０６が、画面表示ＯＳＤの形状を多様に変更できるように、データベースが設定されていてもよい。
【０１３６】
データベースによる利用は、チャンネル毎に対応するデータファイルを、映像表示装置５００が有している場合に限られない。例えば、映像表示装置５００は、各チャンネルの特定の時間毎に対応するデータファイルを、データベースとして有していてもよい。また、例えば、映像表示装置５００は、各チャンネルの特定の番組毎に対応するデータファイルを、データベースとして有していてもよい。
【０１３７】
［まとめ］
最後に、本実施形態の映像表示装置が有する機能構成と、当該機能構成により得られる作用効果について簡単に纏める。
【０１３８】
まず、本実施形態に係る映像表示装置の機能構成は次のように表現することができる。当該映像表示装置は、映像受信部と、映像表示部と、情報表示部とを有する。
【０１３９】
上記の映像受信部は、付加的な表示情報が重畳された映像信号を受信するものである。このように、上記の映像表示装置において受信される映像信号には、付加的な表示情報が重畳されている。この付加的な表示情報は、例えば、映像信号を配信する放送局により重畳される。なお、付加的な表示情報としては、例えば、番組のチャンネル情報やタイトル情報、或いは、放送局のロゴや時刻情報等がある。
【０１４０】
また、上記の映像表示部は、前記付加的な表示情報が重畳された映像信号を画面に表示するものである。このように、上記の映像表示装置は、映像表示部により、映像信号と付加的な表示情報とを画面に表示することができる。しかし、このような付加的な表示情報を表示する機能は、上記の映像表示装置にも搭載されていることが多い。そのため、映像信号に重畳された付加的な情報と、映像表示装置の機能により表示される情報とが重複して表示されてしまうことがある。そこで、上記の映像表示装置は、情報表示部により、上記付加的な表示情報の表示位置に所定の表示情報を表示し、上記画面に表示された付加的な表示情報が覆い隠されるようにする。その結果、付加的な情報が重複して表示されなくなり、画面表示の煩雑さが軽減される。
【０１４１】
本実施形態に係る映像表示装置の機能構成は次のようにも表現することができる。当該映像表示装置は、映像受信部と、映像表示部と、情報表示部と、さらに表示位置記録部とを有する。
【０１４２】
上記の表示位置記録部は、上記付加的な表示情報の表示位置を示す表示位置情報をチャンネル毎に記録するものである。上記情報表示部は、上記表示位置記録部により上記表示位置情報が記録されている場合に、上記表示位置情報に基づいて所定の表示情報を表示することができる。上記情報表示部が、所定の表示情報を上記付加的な表示情報の表示位置に表示し、上記画面に表示された付加的な表示情報が覆い隠されるようにするためには、所定の操作が必要となる。しかし、上記情報表示部は、上記表示位置情報に基づいて上記所定の表示情報を表示することができる。そこで、映像信号を画面に表示するたびに、わざわざ付加的な表示情報の表示位置に所定の表示情報を表示するために、所定の操作を行う必要がなくなる。その結果、ユーザは、一度行った作業をチャンネルを設定する場合や、映像表示装置の電源を付けて映像信号を視聴する場合に、毎回行わずに、画面表示の煩雑さを軽減させることができる。
【０１４３】
本実施形態における、画面表示ＯＳＤは、上記所定の表示情報の一例である。本実施形態における、ユーザによる操作、データベースの利用は、上記所定の操作の一例である。
【０１４４】
さらに、本実施形態では、上記情報表示部は、上記画面に表示された付加的な表示情報が覆い隠されるように、上記所定の表示情報の表示サイズを調整することができる。また、上記表示位置記録部は、上記表示位置情報とともに上記所定の表示情報の表示サイズを示す表示サイズ情報を記録することができる。上記情報表示部は、上記表示位置記録部により上記表示位置情報及び上記表示サイズ情報が記録されている場合に、上記表示位置情報及び上記表示サイズ情報に基づいて上記所定の表示情報を表示することができる。そのため、情報表示部が表示する上記所定の表示情報が、例えば付加的な表示情報よりもサイズが小さかった場合に、表示サイズを調整することで当該付加的な表示情報を覆い隠すようにすることができる。
【０１４５】
本実施形態に係る映像表示装置の機能構成は次のようにも表現することができる。当該映像表示装置は、映像受信部と、映像表示部と、情報表示部と、表示位置記録部と、さらに表示位置検出部と、を有する。
【０１４６】
上記画面に表示された付加的な表示情報が覆い隠されるように、上記情報表示部は、上記の表示位置検出部により検出された表示位置に所定の表示情報を表示することができる。そのため、例えば、ユーザはチャンネルを変更したときに、付加的な表示情報を覆い隠すために、わざわざリモートコントローラを操作し、所定の表示情報を移動させる必要がなくなる。
【０１４７】
上記情報表示部は、上記付加的な表示情報と同じ内容を含む所定の表示情報を上記表示位置検出部により検出された表示位置に表示することができる。そのため、例えば、付加的な表示情報の時刻情報について考えた場合、上記情報表示部が、付加的な表示情報の時刻情報を覆い隠す所定の表示情報も時刻情報である。その結果、ユーザは、時刻情報が通常画面上に表示される位置と同じかほぼ同じ位置に表示されるため、表示される画面に対して違和感なく、番組を視聴することができる。
【０１４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１４９】
【図１】本発明の実施形態に係る技術を適用可能な電子機器システムの構成例を示す説明図である。
【図２】同実施形態に係る技術を適用可能な電子機器システムの一部であるリモートコントローラの一例を示す説明図である。
【図３】同実施形態に係る映像表示装置のハードウェア構成例を示す図である。
【図４】同実施形態に係る映像表示装置の機能構成を示す説明図である。
【図５】同実施形態に係る映像表示装置に付加的な表示情報が、重畳したことを示す説明図である。
【図６】同実施形態に係る映像表示装置の画面表示ＯＳＤが、画面上に表示されたことを示す説明図である。
【図７】同実施形態に係る映像表示装置の画面表示ＯＳＤが、画面上で移動することを示す説明図である。
【図８】同実施形態に係る映像表示装置の画面表示ＯＳＤが、画面上で移動することを示す説明図である。
【図９】同実施形態に係る映像表示装置の画面表示ＯＳＤが、付加的な表示情報を覆い隠していることを示す説明図である。
【図１０】同実施形態に係る映像表示装置の画面表示ＯＳＤが、画面上に表示されたことを示す説明図である。
【図１１】同実施形態に係る映像表示装置の画面表示ＯＳＤが、画面上で移動することを示す説明図である。
【図１２】同実施形態に係る映像表示装置の画面表示ＯＳＤが、画面上で移動することを示す説明図である。
【図１３】同実施形態に係る映像表示装置の画面表示ＯＳＤが、画面上でサイズを変更することを示す説明図である。
【図１４】同実施形態に係る映像表示装置の画面表示ＯＳＤが、画面上でサイズを変更することを示す説明図である。
【図１５】同実施形態に係る映像表示装置の画面表示ＯＳＤが、付加的な表示情報を覆い隠していることを示す説明図である。
【図１６】同実施形態に係る映像表示装置の画面表示ＯＳＤが、画面上でサイズを変更することを示す説明図である。
【図１７】同実施形態に係る映像表示装置の画面表示ＯＳＤが、画面上でサイズを変更することを示す説明図である。
【図１８】同実施形態に係る映像表示装置の画面表示ＯＳＤが、画面上でサイズを変更することを示す説明図である。
【図１９】同実施形態に係る映像表示装置の画面表示ＯＳＤが、画面上でサイズを変更することを示す説明図である。
【図２０】同実施形態に係る映像表示装置の画面表示ＯＳＤが、画面上でサイズを変更することを示す説明図である。
【図２１】同実施形態に係る映像表示装置の画面表示ＯＳＤが、画面上でサイズを変更することを示す説明図である。
【図２２】同実施形態に係る映像表示装置の画面表示ＯＳＤが、移動及びサイズ変更をする手段を示す説明図である。
【図２３】同実施形態に係る映像表示装置の画面表示ＯＳＤが、移動及びサイズ変更をする手段を示す説明図である。
【符号の説明】
【０１５０】
１３２    映像表示装置の画面
１３４    付加的な表示情報（チャンネル）
１３６    付加的な表示情報（時計）
１３８    画面表示ＯＳＤ（チャンネル）
１４０    画面表示ＯＳＤ（時計）
２３２    映像表示装置の画面
２３４    付加的な表示情報（チャンネル）
２３６    付加的な表示情報（時計）
２３８    画面表示ＯＳＤ（チャンネル）
２４０    画面表示ＯＳＤ（時計）
３３８    サイズ調整後の画面表示ＯＳＤ（チャンネル）
３４０    サイズ調整後の画面表示ＯＳＤ（時計）
５００    映像表示装置
５０２    映像受信部
５０４    映像表示部
５０６    情報表示部
５０８    表示位置記録部
５１０    表示位置検出部
５１２    記憶部
５１４    出力部
【図１】
2010074772.tif 000003
【図２】
2010074772.tif 000004
【図３】
2010074772.tif 000005
【図４】
2010074772.tif 000006
【図５】
2010074772.tif 000007
【図６】
2010074772.tif 000008
【図７】
2010074772.tif 000009
【図８】
2010074772.tif 000010
【図９】
2010074772.tif 000011
【図１０】
2010074772.tif 000012
【図１１】
2010074772.tif 000013
【図１２】
2010074772.tif 000014
【図１３】
2010074772.tif 000015
【図１４】
2010074772.tif 000016
【図１５】
2010074772.tif 000017
【図１６】
2010074772.tif 000018
【図１７】
2010074772.tif 000019
【図１８】
2010074772.tif 000020
【図１９】
2010074772.tif 000021
【図２０】
2010074772.tif 000022
【図２１】
2010074772.tif 000023
【図２２】
2010074772.tif 000024
【図２３】
2010074772.tif 000025